(57)【要約】【課題】ユーザの誤操作を防止する画像表示装置及びテレビジョン受信機の提供を目的とする。【解決手段】テレビジョン受信機１は、表示部１５における表示態様画像の表示に応じて動作するインジケータ２０ａ、２０ｂ、２０ｃと、インジケータ２０ａ、２０ｂ、２０ｃの動作を制御する制御部１０とを備える。表示部１５が表示態様画像を表示している場合と表示していない場合とで、インジケータ２０ａ、２０ｂ、２０ｃの動作態様が異なる。テレビジョン受信機１は、表示態様画像を表示している場合に、表示態様の変更を受け付ける。したがって、インジケータ２０ａ、２０ｂ、２０ｃの動作態様を視認することにより、表示態様の変更が受け付けられる状態か否か把握することができ、ユーザの誤入力を防止できる。【選択図】図２
2014146912.tif 000002
【特許請求の範囲】
【請求項１】
画像及び該画像の表示態様を示す表示態様画像を表示する表示部と、該表示部を囲う筐体と、前記表示部が前記表示態様画像を表示している場合に、前記表示態様を規定する規定情報を受け付ける受付部と、該受付部が受け付けた規定情報を記憶する記憶部とを備え、該記憶部に記憶した規定情報で規定された表示態様にした画像を前記表示部に表示する画像表示装置において、
前記筐体に配置してあり、前記表示態様画像の表示に応じて動作する表示器と、
該表示器の動作を、前記表示部が前記表示態様画像を表示しているときの動作態様が、前記表示部が前記表示態様画像を表示していないときの動作態様と異なるように制御する制御部と
を備えることを特徴とする画像表示装置。
【請求項２】
前記表示器はＬＥＤであり、
前記制御部は、前記ＬＥＤの発光輝度を制御するようにしてある
ことを特徴とする請求項１に記載の画像表示装置。
【請求項３】
周囲の照度を検出する照度センサを備え、
前記制御部は、前記照度センサが検出した照度に対応した動作態様となるよう、前記表示器の動作を制御するようにしてある
ことを特徴とする請求項１又は２に記載の画像表示装置。
【請求項４】
テレビジョン放送を受信する受信部と、
請求項１から３のいずれか一つに記載の画像表示装置とを備え、
前記受信部が受信したテレビジョン放送の画像を前記表示部に表示するようにしてある
ことを特徴とするテレビジョン受信機。
【発明の詳細な説明】
【技術分野】
【０００１】
本発明は、ユーザの誤操作を防止する画像表示装置及びテレビジョン受信機に関する。
【背景技術】
【０００２】
画像を表示する表示部の画像表示に関する各種設定事項を表示部の画面上に表示することにより、ユーザによって各種設定事項の入力が容易な画像表示装置が実用化されている。例えば、テレビジョン受信機の分野では、画像を表示する画面の輝度、明度及びコントラストの設定事項、数分後に電源をオフとするタイマー機能の設定事項、表示画面サイズの設定事項などを示す設定事項画像を表示するテレビジョン受信機が実用化されている。
【０００３】
上述した設定事項画像は、表示部が本来表示すべき画像の視聴を妨げないようにするため、画面上の一部分に表示される（例えば、特許文献１）。ユーザは、表示した設定事項画像を参照し、設定事項を画像表示装置に入力する。入力された設定事項が画像表示装置に記憶された場合、画像表示装置は、記憶した設定事項により規定される表示態様とした画像を表示することになる。例えば、表示画面の輝度、明度及びコントラストの設定事項が入力されて記憶された場合には、記憶された設定事項の輝度、明度及びコントラストで規定される表示態様の画像が表示されることになる。１０分後に電源をオフとするタイマー機能の設定事項が入力されて記憶された場合には、記憶された設定事項である１０分後に非表示となるような表示態様の画像が表示されることになる。表示画面サイズの設定事項が入力されて記憶された場合には、記憶された設定事項である表示画面サイズに合致する表示態様の画像が表示されることになる。
【先行技術文献】
【特許文献】
【０００４】
【特許文献１】特開２０１０−１２４３０９号公報
【発明の概要】
【発明が解決しようとする課題】
【０００５】
しかしながら、上述した設定事項画像は画像表示部の画面の一部分に表示されるため、ユーザの意図に反した設定事項が入力される虞があった。例えば、意図せずに輝度、明度及びコントラストの設定事項を入力してしまったが、設定事項画像は画像表示部の画面の一部分にのみ表示されるために、入力してしまったことにユーザが気づかず、意に反して輝度等の画像の表示態様が変更されてしまう虞があった。意図せずにタイマー機能の設定事項を入力してしまったが、設定事項画像は画像表示部の画面の一部分にのみ表示されるために、入力してしまったことにユーザが気づかず、数分後に画像表示装置の電源がオフとなってしまう虞があった。意図せずに表示画面サイズの設定事項を入力してしまったが、設定事項画像は画像表示部の画面の一部分にのみ表示されるために、入力してしまったことにユーザが気づかず、意に反して画像が横長又は縦長に変更されてしまう虞があった。設定事項画像の表示を大きくした場合には、画像表示部が本来表示すべき画像の視聴を妨げるという問題が生じる。
【０００６】
本発明は斯かる事情に鑑みてなされたものであって、表示部が本来表示すべき画像の視聴妨げとなることを抑制しつつ、各種設定事項の入力におけるユーザの誤操作を防止する画像表示装置及びテレビジョン受信機の提供を目的とする。
【課題を解決するための手段】
【０００７】
本発明に係る画像表示装置は、画像及び該画像の表示態様を示す表示態様画像を表示する表示部と、該表示部を囲う筐体と、前記表示部が前記表示態様画像を表示している場合に、前記表示態様を規定する規定情報を受け付ける受付部と、該受付部が受け付けた規定情報を記憶する記憶部とを備え、該記憶部に記憶した規定情報で規定された表示態様にした画像を前記表示部に表示する画像表示装置において、前記筐体に配置してあり、前記表示態様画像の表示に応じて動作する表示器と、該表示器の動作を、前記表示部が前記表示態様画像を表示しているときの動作態様が、前記表示部が前記表示態様画像を表示していないときの動作態様と異なるように制御する制御部とを備えることを特徴とする。
【０００８】
上述の画像表示装置では、表示部を囲う筐体に表示器を備える。表示器の動作態様は、表示部が表示態様画像を表示している場合と表示していない場合とで異なる。
【０００９】
また本発明に係る画像表示装置は、前記表示器はＬＥＤであり、前記制御部は、前記ＬＥＤの発光輝度を制御するようにしてあることを特徴とする。
【００１０】
上述の画像表示装置では、表示部が表示態様画像を表示している場合と表示していない場合とで、表示器であるＬＥＤの発光輝度が異なる。
【００１１】
また本発明に係る画像表示装置は、周囲の照度を検出する照度センサを備え、前記制御部は、前記照度センサが検出した照度に対応した動作態様となるよう、前記表示器の動作を制御するようにしてあることを特徴とする。
【００１２】
上述の画像表示装置では、周囲の照度に応じて、表示器の動作態様が制御される。
【００１３】
本発明に係るテレビジョン受信機は、テレビジョン放送を受信する受信部と、上述の画像表示装置とを備え、前記受信部が受信したテレビジョン放送の画像を前記表示部に表示するようにしてあることを特徴とする。
【００１４】
上述のテレビジョン受信機では、画像表示装置が、表示部を囲う筐体に表示器を備える。表示器の動作態様は、表示部が表示態様画像を表示している場合と表示していない場合とで異なる。
【発明の効果】
【００１５】
本発明にあっては、表示部における表示態様画像の表示に応じて動作する表示器が、表示態様画像を表示している場合と表示していない場合とで、動作態様を異ならせる。したがってユーザは、表示器の動作態様を視認することにより、各種設定事項が入力され得る状態か否か把握することができ、誤入力を防止できる。また、表示器は表示部ではなく筐体に配置してあるため、表示部が本来表示すべき画像の視聴妨げとなることを抑制できる。
【図面の簡単な説明】
【００１６】
【図１】テレビジョン受信機及びその受信機の操作部の外観を示す模式図である。
【図２】テレビジョン受信機の一構成例を示したブロック図である。
【図３】関連テーブルのレコードレイアウト一例を示す説明図である。
【図４】設定画像が表示してある状況を示すテレビジョン受信機の模式図である。
【図５】関連テーブルのレコードレイアウト一例を示す説明図である。
【図６】設定画像が表示してある状況を示すテレビジョン受信機の模式図である。
【図７】関連テーブルのレコードレイアウト一例を示す説明図である。
【図８】設定画像が表示してある状況を示すテレビジョン受信機の模式図である。
【図９】インジケータの動作態様を制御する制御部の処理手順を示すフローチャートである。
【図１０】インジケータの動作態様を制御する制御部の処理手順を示すフローチャートである。
【図１１】インジケータの動作態様を制御する制御部の処理手順を示すフローチャートである。
【図１２】関連テーブルのレコードレイアウト一例を示す説明図である。
【図１３】関連テーブルのレコードレイアウト一例を示す説明図である。
【図１４】関連テーブルのレコードレイアウト一例を示す説明図である。
【図１５】インジケータの動作態様を制御する制御部の処理手順を示すフローチャートである。
【図１６】インジケータの動作態様を制御する制御部の処理手順を示すフローチャートである。
【図１７】インジケータの動作態様を制御する制御部の処理手順を示すフローチャートである。
【発明を実施するための形態】
【００１７】
（実施の形態１）
以下、本発明をその実施の形態を示す図面に基づいて具体的に説明する。画像表示装置としての機能を有するテレビジョン受信機について例示する。
【００１８】
図１は、テレビジョン受信機１及びその受信機の操作部２１の外観を示す模式図である。操作部２１は、ユーザがテレビジョン受信機１を操作するために用いるものである。表示態様の設定を含むさまざまな操作に関する指示情報をテレビジョン受信機１に与えることができる。本実施の形態１では、操作部２１がテレビジョン受信機１に対して遠隔操作可能な別体となっているが、テレビジョン受信機１と一体となる構成でもよい。
【００１９】
図２は、テレビジョン受信機１の一構成例を示したブロック図である。テレビジョン受信機１は制御部１０、映像／音声入力部１１、チューナ部１２、ＡＶスイッチ１３、信号処理部１４、表示部１５、スピーカ１６、記憶部１７、照度センサ１８、受付部１９、及びインジケータ２０ａ、２０ｂ、２０ｃを備える。
【００２０】
制御部１０は、中央処理装置（Central Processing Unit：ＣＰＵ）、記憶媒体（Read Only Memory：ＲＯＭ）、メモリ（Random Access Memory：ＲＡＭ）などを備えたマイクロコンピュータからなり、テレビジョン受信機１の各構成部に制御信号を与えて各構成部の動作を制御する。
【００２１】
映像／音声入力部１１は、各種外部装置から出力された映像信号及び音声信号が入力される入力インタフェースであり、入力された映像信号及び音声信号をＡＶスイッチ１３へ与える。外部装置は、例えば、衛星放送チューナ、ケーブルテレビチューナ、ＩＰ放送チューナなどのチューナで構成される。
【００２２】
チューナ部１２は、アンテナＡで受信した放送信号から特定チャンネルの放送信号を選択し、選択した特定チャンネルの放送信号に含まれる映像信号及び音声信号をＡＶスイッチ１３に与える。
【００２３】
ＡＶスイッチ１３は、映像／音声入力部１１から与えられた映像信号及び音声信号、又はチューナ部１２から与えられた映像信号及び音声信号のいずれかを選択し、選択された映像信号及び音声信号を信号処理部１４へ出力する。
【００２４】
信号処理部１４は、ＡＶスイッチ１３から出力された映像信号に基づいて映像データを生成し、生成した映像データを表示部１５に出力する。また信号処理部１４は、ＡＶスイッチ１３から出力され音声信号を音声は、ＡＶスイッチ１３から出力された音声信号に基づいて音声データを生成し、生成した音声データをスピーカ１６に出力する。
【００２５】
表示部１５は、液晶パネルで構成してあり、信号処理部１４から与えられた映像データに基づいて、映像を表示する。プラズマディスプレイパネル、有機ＥＬパネルなどを用いて構成してもよい。
【００２６】
スピーカ１６は、電気信号を物理振動に変えて音を生み出すものであり、信号処理部１４から与えられた音声データに基づいて、音声を出力する。
【００２７】
記憶部１７は、ＲＡＭで構成してあり、表示部１５による画像の表示に使用する輝度、コントラスト、彩度、表示、非表示等の表示態様を規定する規定情報を記憶する記憶領域を有している。また記憶部１７は、画像の表示態様を示す表示態様画像と後述するインジケータ２０ａ、２０ｂ、２０ｃに供給する電流値との関係を示す関連テーブル１７ａ、１７ｂ、１７ｃを記憶する。記憶部１７は、ＲＡＭ以外の記録媒体、たとえばＨＤＤ、で構成されてもよい。
【００２８】
照度センサ１８は、テレビジョン受信機１の周囲の照度を検出するセンサであり、光学フィルタを内蔵したフォトトランジスタを用いて構成してある。照度センサ１８は、検出した照度を制御部１０に与える。照度センサ１８は、フォトダイオードを用いて構成してもよい。また、アンプ回路を更に備える構成としてもよい。
【００２９】
制御部１０は、照度センサ１８から与えられた照度に基づいて、表示部１５の輝度、コントラスト、彩度等を自動的に変更し得る。つまり、オプティマムピクチャーコントロール（ＯＰＣ）機能を実現し得る。具体的には、照度が小さい場合には暗所用の表示態様となるように表示部１５を制御し、照度が大きい場合には明所用の表示態様となるように、表示部１５を制御し得る。したがって、テレビジョン受信機１が設置してある室内の照度に基づいて、ユーザが視認しやすい表示態様を自動的に選択することができる。
【００３０】
受付部１９は、操作部２１から送信される指示情報を受け付けるものであり、ユーザの操作により送信される指示情報を制御部１０に与える。指示情報には、表示部１５の表示態様を規定する規定情報が含まれる。
【００３１】
インジケータ２０ａ、２０ｂ、２０ｃはそれぞれ、ＬＥＤで構成してあり、制御部１０の制御により与えられる電流量に基づいて、動作態様、具体的には、発光態様を変化する。つまり、インジケータ２０ａ、２０ｂ、２０ｃの動作態様は、制御部１０により制御される。与えられる電流量が多い場合には発光輝度が大きくなり、与えられる電流量が少ない場合には、発光輝度が小さくなる。インジケータ２０ａ、２０ｂ、２０ｃはそれぞれ、制御部１０の制御により与えられる電流量に基づいて発光輝度が変化するような小型の液晶表示面であってもよい。また、制御部１０の制御により与えられる電流量に基づいて複数種類の表示を行うような小型の液晶表示面であってもよい。
【００３２】
図３は、関連テーブル１７ａのレコードレイアウト一例を示す説明図である。表示部１５の画像表示に用いる輝度、コントラスト、彩度等の表示態様を規定する規定情報の受付け状況とインジケータ２０ａに与える電流量との関係を示す関連テーブル１７ａが模式的に示してある。関連テーブル１７ａは、具体的には、受付状況フィールド及び電流量フィールドの情報で構成してある。
【００３３】
受付状況フィールドには、輝度、コントラスト、彩度等の表示態様を規定する規定情報を受け付けるために必要な設定画像が表示されているか否かの情報が記憶してある。具体的には、輝度、コントラスト、彩度等の設定に用いる設定画像であって、現在設定してある輝度、コントラスト、彩度等についての表示態様を示す設定画像が表示されているか否かを示す情報が記憶してある。設定画像が表示されている場合には、操作部２１を介して、輝度、コントラスト、彩度等の設定値の変更がされ得るが、表示されていない場合には、変更されない。
【００３４】
電流量フィールドには、インジケータ２０ａに与えることができる電流量のうち、何％の電流量をインジケータ２０ａに与えるかを示す情報が記憶してある。
【００３５】
図３では、設定画像の表示がある場合にインジケータ２０ａに１００％の電流量が与えられ、設定画像の表示がない場合に０％の電流量が与えられる一例が記してある。ユーザは、インジケータ２０ａの発光態様を視認することにより、設定画像が表示部１５の一部にのみ表示してある場合においても、輝度、コントラスト、彩度等の設定が変更され得る状態になっていることを認識できる。したがって、ユーザの意図に反して輝度、コントラスト、彩度等の誤入力が行われることを抑制することができる。また、インジケータ２０ａは、表示部１５とは異なる筐体部分に設置してあるため、表示部１５が本来表示すべき画像の視聴妨げとなることを抑制できる。
【００３６】
図４は、設定画像２２ａが表示してある状況を示すテレビジョン受信機１の模式図である。図４では、輝度、コントラスト、彩度等の表示態様を規定する規定情報を受け付けるために必要な設定画像２２ａが表示部１５の一部にのみ表示してあり、インジケータ２０ａが発光している一例が示してある。インジケータ２０ａの発光態様を視認することにより、輝度、コントラスト、彩度等の設定が変更可能な状況となっているか否か、ユーザは容易に認識することができる。
【００３７】
図５は、関連テーブル１７ｂのレコードレイアウト一例を示す説明図である。表示部１５による表示および非表示を示す表示態様を規定する規定情報の受付け状況とインジケータ２０ｂに与える電流量との関係を示す関連テーブル１７ｂが模式的に示してある。関連テーブル１７ｂは、具体的には、受付状況フィールド及び電流量フィールドの情報で構成してある。
【００３８】
受付状況フィールドには、表示および非表示についての表示態様を規定する規定情報を受け付けるために必要な設定画像が表示されているか否か、及び記憶部１７に既に受け付けた規定情報を記憶してあるか否かを示す情報が記憶してある。具体的には、数分後に電源をオフとし、表示した画像を非表示とするタイマー機能の設定に用いる設定画像が表示されているか否かを示す情報、及びタイマー機能が既に設定されているか否かを示す情報が記憶してある。設定画像が表示されている場合には、操作部２１を介して、タイマー機能の新たな設定および既存の設定変更がされ得るが、表示されていない場合には、そのような新たな設定及び設定変更がなされない。
【００３９】
電流量フィールドには、インジケータ２０ｂに与えることができる電流量のうち、何％の電流量をインジケータ２０ｂに与えるかを示す情報が記憶してある。
【００４０】
図５では、タイマー機能の設定が記憶部１７に記憶されていない場合にインジケータ２０ｂに０％の電流量が与えられ、記憶部１７に記憶されていないが設定画像が表示部１５に表示してある場合にインジケータ２０ｂに１００％の電流量が与えられ、設定画像の表示はないがタイマー機能の設定が記憶部１７に記憶されている場合にインジケータ２０ｂに５０％の電流量が与えられる一例が記してある。ユーザは、インジケータ２０ｂの発光態様を視認することにより、設定画像が表示部１５の一部にのみ表示してある場合においても、タイマー機能の設定が変更され得る状態になっていることを認識できる。したがって、ユーザの意図に反してタイマー機能に対する誤入力が行われることを抑制することができる。また、インジケータ２０ｂは、表示部１５とは異なる筐体部分に設置してあるため、表示部１５が本来表示すべき画像の視聴妨げとなることを抑制できる。
【００４１】
図６は、設定画像２２ｂが表示してある状況を示すテレビジョン受信機１の模式図である。図６では、タイマー機能を受け付けるために必要な設定画像２２ｂが表示部１５の一部にのみ表示してあり、インジケータ２０ｂが発光している一例が示してある。インジケータ２０ｂの発光態様を視認することにより、タイマー機能の設定及び変更が可能な状況となっているか否か、ユーザは容易に認識することができる。
【００４２】
図７は、関連テーブル１７ｃのレコードレイアウト一例を示す説明図である。表示部１５の表示態様の自動変更に係るＯＰＣ機能を規定する規定情報の受付け状況とインジケータ２０ｃに与える電流量との関係を示す関連テーブル１７ｃが模式的に示してある。関連テーブル１７ｃは、具体的には、受付状況フィールド及び電流量フィールドの情報で構成してある。
【００４３】
受付状況フィールドには、ＯＰＣ機能の設定に必要な設定画像が表示されているか否か、及びＯＰＣ機能の設定がオンとなり記憶部１７に既に記憶してあるか否かを示す情報が記憶してある。設定画像が表示されている場合には、操作部２１を介して、ＯＰＣ機能の設定の変更がされ得るが、表示されていない場合には、そのような変更がなされない。
【００４４】
電流量フィールドには、インジケータ２０ｃに与えることができる電流量のうち、何％の電流量をインジケータ２０ｃに与えるかを示す情報が記憶してある。
【００４５】
図７では、ＯＰＣ機能のオンが記憶部１７に記憶されていない場合にインジケータ２０ｃに０％の電流量が与えられ、記憶部１７に記憶されていないが設定画像が表示部１５に表示してある場合にインジケータ２０ｃに１００％の電流量が与えられ、設定画像の表示はないがＯＰＣ機能のオンが記憶部１７に記憶されている場合にインジケータ２０ｃに５０％の電流量が与えられる一例が記してある。ユーザは、インジケータ２０ｃの発光態様を視認することにより、設定画像が表示部１５の一部にのみ表示してある場合においても、ＯＰＣ機能の設定が変更され得る状態になっていることを認識できる。したがって、ユーザの意図に反してＯＰＣ機能に対する誤入力が行われることを抑制することができる。また、インジケータ２０ｃは、表示部１５とは異なる筐体部分に設置してあるため、表示部１５が本来表示すべき画像の視聴妨げとなることを抑制できる。
【００４６】
図８は、設定画像が表示してある状況を示すテレビジョン受信機１の模式図である。図８では、ＯＰＣ機能の設定に必要な設定画像２２ｃが表示部１５の一部にのみ表示してあり、インジケータ２０ｃが発光している一例が示してある。インジケータ２０ｃの発光態様を視認することにより、ＯＰＣ機能の設定及び変更が可能な状況となっているか否か、ユーザは容易に認識することができる。
【００４７】
図９は、インジケータ２０ａの動作態様を制御する制御部１０の処理手順を示すフローチャートである。制御部１０は、表示部１５が輝度、コントラスト、彩度等の設定画像２２ａを表示しているか否か判定する（ステップＳ１１）。設定画像２２ａを表示していると判定した場合（Ｓ１１：ＹＥＳ）、制御部１０は、インジケータ２０ａに１００％の電流量を与え（ステップＳ１２）、処理を終了する。設定画像２２ａを表示していないと判定した場合（Ｓ１１：ＮＯ）、制御部１０は、インジケータ２０ａに０％の電流量を与え（ステップＳ１３）、処理を終了する。制御部１０は、一定時間経過後にこの処理手順を繰り返す。
【００４８】
図１０は、インジケータ２０ｂの動作態様を制御する制御部１０の処理手順を示すフローチャートである。制御部１０は、表示部１５がタイマー機能の設定画像２２ｂを表示しているか否か判定する（ステップＳ２１）。設定画像２２ｂを表示していると判定した場合（Ｓ２１：ＹＥＳ）、制御部１０は、インジケータ２０ｂに１００％の電流量を与え（ステップＳ２２）、処理を終了する。設定画像２２ｂを表示していないと判定した場合（Ｓ２１：ＮＯ）、制御部１０は、タイマー設定が記憶部１７に記憶してあるか否か判定する（ステップＳ２３）。タイマー設定が記憶部１７に記憶してあると判定した場合（Ｓ２３：ＹＥＳ）、制御部１０は、インジケータ２０ｂに５０％の電流量を与え（ステップＳ２４）、処理を終了する。タイマー設定が記憶部１７に記憶されていないと判定した場合（Ｓ２３：ＮＯ）、制御部１０は、インジケータ２０ｂに０％の電流量を与え（ステップＳ２５）、処理を終了する。制御部１０は、一定時間経過後にこの処理手順を繰り返す。
【００４９】
図１１は、インジケータ２０ｃの動作態様を制御する制御部１０の処理手順を示すフローチャートである。制御部１０は、表示部１５がＯＰＣ機能の設定画像２２ｃを表示しているか否か判定する（ステップＳ３１）。設定画像２２ｃを表示していると判定した場合（Ｓ３１：ＹＥＳ）、制御部１０は、インジケータ２０ｃに１００％の電流量を与え（ステップＳ３２）、処理を終了する。設定画像２２ｃを表示していないと判定した場合（Ｓ３１：ＮＯ）、制御部１０は、ＯＰＣ機能のオンが記憶部１７に記憶してあるか否か判定する（ステップＳ３３）。ＯＰＣ機能のオンが記憶部１７に記憶してあると判定した場合（Ｓ３３：ＹＥＳ）、制御部１０は、インジケータ２０ｃに５０％の電流量を与え（ステップＳ３４）、処理を終了する。ＯＰＣ機能のオンが記憶部１７に記憶されていないと判定した場合（Ｓ３３：ＮＯ）、制御部１０は、インジケータ２０ｃに０％の電流量を与え（ステップＳ３５）、処理を終了する。制御部１０は、一定時間経過後にこの処理手順を繰り返す。
【００５０】
上述の構成により、表示部１５の表示態様を示すことになる設定画像２２ａ、２２ｂ、２２ｃの表示に応じて、インジケータ２０ａ、２０ｂ、２０ｃが動作することになる。また、設定画像２２ａ、２２ｂ、２２ｃの表示をしている場合と表示をしていない場合とで、インジケータ２０ａ、２０ｂ、２０ｃの動作態様、具体的には発光態様が異なることになる。したがってユーザは、インジケータ２０ａ、２０ｂ、２０ｃの動作態様を視認することにより、各種設定事項が入力され得る状態か否か把握することができ、誤入力を防止できる。また、インジケータ２０ａ、２０ｂ、２０ｃは表示部１５ではなく筐体に配置してあるため、表示部１５が本来表示すべき画像の視聴妨げとなることを抑制できる。
【００５１】
（実施の形態２）
実施の形態１では、設定画像２２ａ、２２ｂ、２２ｃの表示に応じてインジケータ２０ａ、２０ｂ、２０ｃそれぞれの動作態様を異ならせる構成について説明している。実施の形態２では、設定画像２２ａ、２２ｂ、２２ｃの表示に応じて動作態様を異ならせるインジケータ２０ａ、２０ｂ、２０ｃそれぞれが、照度センサ１８の検出結果に基づいて更に動作態様を異ならせる構成について説明する。
【００５２】
テレビジョン受信機１の記憶部１７は、関連テーブル１７ａ、１７ｂ、１７ｃに加えて、照度センサ１８の検出結果と関連付けてある関連テーブル１７ｄ、１７ｅ、１７ｆ（図示せず）を記憶する。
【００５３】
制御部１０は、ＯＰＣ機能のオフが記憶部１７に記憶してあるか、オンが記憶してあるかを判定する。ＯＰＣ機能のオフが記憶部１７に記憶してある場合、制御部１０は関連テーブル１７ａ、１７ｂ、１７ｃを参照し、インジケータ２０ａ、２０ｂ、２０ｃそれぞれの動作を制御する。ＯＰＣ機能のオンが記憶部１７に記憶してある場合、制御部１０は、関連テーブル１７ａ、１７ｂ、１７ｃに換えて関連テーブル１７ｄ、１７ｅ、１７ｆを参照し、照度センサ１８の検出結果に基づいてインジケータ２０ａ、２０ｂ、２０ｃそれぞれの動作を制御する。具体的には、ＯＰＣ機能がオンとなっている際、検出した照度が小さい場合にインジケータ２０ａ、２０ｂ、２０ｃの発光輝度を小さくし、検出した照度が大きい場合に発光輝度を大きくするように、インジケータ２０ａ、２０ｂ、２０ｃに与える電流量を調整して制御する。したがって、テレビジョン受信機１が設置してある室内が明るい場合には、インジケータ２０ａ、２０ｂ、２０ｃの発光輝度を大きくして、インジケータ２０ａ、２０ｂ、２０ｃの視認性を向上することができる。また、テレビジョン受信機１が設置してある室内が暗い場合には、インジケータ２０ａ、２０ｂ、２０ｃの発光輝度を必要最小限に小さくして、インジケータ２０ａ、２０ｂ、２０ｃの視認性を維持したまま、表示部１０が本来表示すべき画像の視聴の妨げとなることを抑制することができる。
【００５４】
図１２は、関連テーブル１７ｄのレコードレイアウト一例を示す説明図である。照度センサ１８による検出結果と、表示部１５の画像表示に用いる輝度、コントラスト、彩度等の表示態様を規定する規定情報の受付け状況と、インジケータ２０ａに与える電流量との関係を示す関連テーブル１７ｄが模式的に示してある。関連テーブル１７ｄは、具体的には、照度フィールド、受付状況フィールド及び電流量フィールドの情報で構成してある。
【００５５】
照度フィールドには、照度センサ１８により検出した照度に基づいて分類した４つの状態（ＨＩＧＨ状態、ＭＩＤ−ＨＩＧＨ状態、ＭＩＤ状態、及びＬＯＷ状態）を示す情報が記憶してある。
【００５６】
受付状況フィールドには、輝度、コントラスト、彩度等の表示態様を規定する規定情報を受け付けるために必要な設定画像が表示されているか否かの情報が記憶してある。具体的には、輝度、コントラスト、彩度等の設定に用いる設定画像であって、現在の設定してある輝度、コントラスト、彩度等の表示態様を示す設定画像が表示されているか否かを示す情報が記憶してある。設定画像が表示されている場合には、操作部２１を介して、輝度、コントラスト、彩度等の設定値の変更がされ得るが、表示されていない場合には、変更されない。
【００５７】
電流量フィールドには、インジケータ２０に与えることができる電流量のうち、何％の電流量をインジケータ２０ａに与えるかを示す情報が記憶してある。
【００５８】
図１２では、設定画像の表示がある場合、照度がＨＩＧＨ状態のときにインジケータ２０ａに１００％の電流量が与えられ、ＭＩＤ−ＨＩＧＨ状態のときに９０％の電流量が与えられ、ＭＩＤ状態のときに８０％の電流量が与えられ、ＬＯＷ状態のときに７０％の電流量が与えられ、設定画像の表示がない場合に０％の電流量が与えられる一例が記してある。ユーザは、インジケータ２０ａの発光態様を視認することにより、設定画像が表示部１５の一部にのみ表示してある場合においても、輝度、コントラスト、彩度等の設定が変更され得る状態になっていることを認識できる。したがって、ユーザの意図に反して輝度、コントラスト、彩度等の誤入力が行われることを抑制することができる。インジケータ２０ａは表示部１５とは異なる筐体部分に設置してあるため、表示部１５が本来表示すべき画像の視聴妨げとなることを抑制できる。また、インジケータ２０ａの発光輝度が周囲の照度に基づいて変化するため、表示部１５が本来表示すべき画像の視聴妨げとなることを更に抑制できる。
【００５９】
図１３は、関連テーブル１７ｅのレコードレイアウト一例を示す説明図である。照度センサ１８による検出結果と、表示部１５による表示および非表示を示す表示態様を規定する規定情報の受付け状況と、インジケータ２０ｂに与える電流量との関係を示す関連テーブル１７ｅが模式的に示してある。関連テーブル１７ｅは、具体的には、照度フィールド、受付状況フィールド及び電流量フィールドの情報で構成してある。
【００６０】
照度フィールドには、照度センサ１８により検出した照度に基づいて分類した４つの状態（ＨＩＧＨ状態、ＭＩＤ−ＨＩＧＨ状態、ＭＩＤ状態、及びＬＯＷ状態）を示す情報が記憶してある。
【００６１】
受付状況フィールドには、表示および非表示の表示態様を規定する規定情報を受け付けるために必要な設定画像が表示されているか否か、及び記憶部１７に既に受け付けた規定情報を記憶してあるか否かを示す情報が記憶してある。具体的には、画像の表示状態から数分後に電源をオフとする画像の非表示状態にするタイマー機能の設定に用いる設定画像が表示されているか否かを示す情報、及びタイマー機能が既に設定されているか否かを示す情報が記憶してある。設定画像が表示されている場合には、操作部２１を介して、タイマー機能の新たな設定および既存の設定変更がされ得るが、表示されていない場合には、そのような新たな設定及び設定変更がなされない。
【００６２】
電流量フィールドには、インジケータ２０ｂに与えることができる電流量のうち、何％の電流量をインジケータ２０ｂに与えるかを示す情報が記憶してある。
【００６３】
図１３では、タイマー機能の設定が記憶部１７に記憶されていない場合、インジケータ２０ｂに０％の電流量が与えられ、記憶部１７に記憶されていないが設定画像の表示が表示部１５にある場合、照度がＨＩＧＨ状態のときにインジケータ２０ｂに１００％の電流量が与えられ、ＭＩＤ−ＨＩＧＨ状態のときに９０％の電流量が与えられ、ＭＩＤ状態のときに８０％の電流量が与えられ、ＬＯＷ状態のときに７０％の電流量が与えられ、設定画像の表示はないがタイマー機能の設定が記憶部１７に記憶されている場合、照度がＨＩＧＨ状態のときにインジケータ２０ｂに５０％の電流量が与えられ、ＭＩＤ−ＨＩＧＨ状態のときに４５％の電流量が与えられ、ＭＩＤ状態のときに４０％の電流量が与えられ、ＬＯＷ状態のときに３５％の電流量が与えられる一例が記してある。ユーザは、インジケータ２０ｂの発光態様を視認することにより、設定画像が表示部１５の一部にのみ表示してある場合においても、タイマー機能の設定が変更され得る状態になっていることを認識できる。したがって、ユーザの意図に反してタイマー機能に対する誤入力が行われることを抑制することができる。インジケータ２０ｂは表示部１５とは異なる筐体部分に設置してあるため、表示部１５が本来表示すべき画像の視聴妨げとなることを抑制できる。また、インジケータ２０ｂの発光輝度が周囲の照度に基づいて変化するため、表示部１５が本来表示すべき画像の視聴妨げとなることを更に抑制できる。
【００６４】
図１４は、関連テーブル１７ｆのレコードレイアウト一例を示す説明図である。照度センサ１８による検出結果と、表示部１５の表示態様の自動変更に係るＯＰＣ機能を規定する規定情報の受付け状況と、インジケータ２０ｃに与える電流量との関係を示す関連テーブル１７ｃが模式的に示してある。関連テーブル１７ｆは、具体的には、照度フィールド、受付状況フィールド及び電流量フィールドの情報で構成してある。
【００６５】
照度フィールドには、照度センサ１８により検出した照度に基づいて分類した４つの状態（ＨＩＧＨ状態、ＭＩＤ−ＨＩＧＨ状態、ＭＩＤ状態、及びＬＯＷ状態）を示す情報が記憶してある。
【００６６】
受付状況フィールドには、ＯＰＣ機能の設定に必要な設定画像が表示されているか否か、及びＯＰＣ機能の設定がオンとなり記憶部１７に既に記憶してあるか否かを示す情報が記憶してある。設定画像が表示されている場合には、操作部２１を介して、ＯＰＣ機能の設定の変更がされ得るが、表示されていない場合には、そのような変更がなされない。
【００６７】
電流量フィールドには、インジケータ２０ｃに与えることができる電流量のうち、何％の電流量をインジケータ２０ｃに与えるかを示す情報が記憶してある。
【００６８】
図１４では、ＯＰＣ機能のオンが記憶部１７に記憶されていない場合、インジケータ２０ｃに０％の電流量が与えられ、記憶部１７に記憶されていないが設定画像の表示が表示部１５にある場合、照度がＨＩＧＨ状態のときにインジケータ２０ｃに１００％の電流量が与えられ、ＭＩＤ−ＨＩＧＨ状態のときに９０％の電流量が与えられ、ＭＩＤ状態のときに８０％の電流量が与えられ、ＬＯＷ状態のときに７０％の電流量が与えられ、設定画像の表示はないがＯＰＣ機能のオンが記憶部１７に記憶されている場合、照度がＨＩＧＨ状態のときにインジケータ２０ｃに５０％の電流量が与えられ、ＭＩＤ−ＨＩＧＨ状態のときに４５％の電流量が与えられ、ＭＩＤ状態のときに４０％の電流量が与えられ、ＬＯＷ状態のときに３５％の電流量が与えられる一例が記してある。ユーザは、インジケータ２０ｃの発光態様を視認することにより、設定画像が表示部１５の一部にのみ表示してある場合においても、ＯＰＣ機能の設定が変更され得る状態になっていることを認識できる。したがって、ユーザの意図に反してＯＰＣ機能に対する誤入力が行われることを抑制することができる。インジケータ２０ｃは表示部１５とは異なる筐体部分に設置してあるため、表示部１５が本来表示すべき画像の視聴妨げとなることを抑制できる。また、インジケータ２０ｂの発光輝度が周囲の照度に基づいて変化するため、表示部１５が本来表示すべき画像の視聴妨げとなることを更に抑制できる。
【００６９】
図１５は、インジケータ２０ａの動作態様を制御する制御部１０の処理手順を示すフローチャートである。制御部１０は、ＯＰＣ機能のオフが記憶部１７に記憶してあるか、オンが記憶してあるかを判定する（ステップＳ４１）。ＯＰＣ機能のオフが記憶部１７に記憶してあると判定した場合（Ｓ４１：ＮＯ）、制御部１０は、関連テーブル１７ａを参照し、前述した図９の処理手順を実行し（ステップＳ４２）、処理を終了する。
【００７０】
ＯＰＣ機能のオンが記憶部１７に記憶してあると判定した場合（Ｓ４１：ＹＥＳ）、制御部１０は、表示部１５が輝度、コントラスト、彩度等の設定画像２２ａを表示しているか否か判定する（ステップＳ４３）。設定画像２２ａを表示していると判定した場合（Ｓ４３：ＹＥＳ）、制御部１０は、照度センサ１８の検出結果と関連テーブル１７ｄとを参照し、ＨＩＧＨ状態のときに１００％の電流量、ＭＩＤ−ＨＩＧＨ状態のときに９０％の電流量、ＭＩＤ状態のときに８０％の電流量、ＬＯＷ状態のときに７０％の電流量をインジケータ２０ａに与え（ステップＳ４４）、処理を終了する。設定画像２２ａを表示していないと判定した場合（Ｓ４３：ＮＯ）、制御部１０は、インジケータ２０ａに０％の電流量を与え（ステップＳ４５）、処理を終了する。制御部１０は、一定時間経過後にこの処理手順を繰り返す。
【００７１】
図１６は、インジケータ２０ｂの動作態様を制御する制御部１０の処理手順を示すフローチャートである。制御部１０は、ＯＰＣ機能のオフが記憶部１７に記憶してあるか、オンが記憶してあるかを判定する（ステップＳ５１）。ＯＰＣ機能のオフが記憶部１７に記憶してあると判定した場合（Ｓ５１：ＮＯ）、制御部１０は、関連テーブル１７ｂを参照し、前述した図１０の処理手順を実行し（ステップＳ５２）、処理を終了する。
【００７２】
ＯＰＣ機能のオンが記憶部１７に記憶してあると判定した場合（Ｓ５１：ＹＥＳ）、制御部１０は、表示部１５がタイマー機能の設定画像２２ｂを表示しているか否か判定する（ステップＳ５３）。設定画像２２ｂを表示していると判定した場合（Ｓ５３：ＹＥＳ）、制御部１０は、照度センサ１８の検出結果と関連テーブル１７ｅとを参照し、ＨＩＧＨ状態のときに１００％の電流量、ＭＩＤ−ＨＩＧＨ状態のときに９０％の電流量、ＭＩＤ状態のときに８０％の電流量、ＬＯＷ状態のときに７０％の電流量をインジケータ２０ｂに与え（ステップＳ５４）、処理を終了する。設定画像２２ｂを表示していないと判定した場合（Ｓ５３：ＮＯ）、制御部１０は、タイマー設定が記憶部１７に記憶してあるか否か判定する（ステップＳ５５）。タイマー設定が記憶部１７に記憶してあると判定した場合（Ｓ５５：ＹＥＳ）、制御部１０は、照度センサ１８の検出結果と関連テーブル１７ｅとを参照し、ＨＩＧＨ状態のときに５０％の電流量、ＭＩＤ−ＨＩＧＨ状態のときに４５％の電流量、ＭＩＤ状態のときに４０％の電流量、ＬＯＷ状態のときに３５％の電流量をインジケータ２０ｂに与え（ステップＳ５６）、処理を終了する。タイマー設定が記憶部１７に記憶されていないと判定した場合（Ｓ５５：ＮＯ）、制御部１０は、インジケータ２０ｂに０％の電流量を与え（ステップＳ５７）、処理を終了する。制御部１０は、一定時間経過後にこの処理手順を繰り返す。
【００７３】
図１７は、インジケータ２０ｃの動作態様を制御する制御部１０の処理手順を示すフローチャートである。制御部１０は、ＯＰＣ機能のオフが記憶部１７に記憶してあるか、オンが記憶してあるかを判定する（ステップＳ６１）。ＯＰＣ機能のオフが記憶部１７に記憶してあると判定した場合（Ｓ６１：ＮＯ）、制御部１０は、関連テーブル１７ｃを参照し、前述した図１１の処理手順を実行し（ステップＳ６２）、処理を終了する。
【００７４】
ＯＰＣ機能のオンが記憶部１７に記憶してあると判定した場合（Ｓ６１：ＹＥＳ）、制御部１０は、表示部１５がＯＰＣ機能の設定画像２２ｃを表示しているか否か判定する（ステップＳ６３）。設定画像２２ｃを表示していると判定した場合（Ｓ６３：ＹＥＳ）、制御部１０は、照度センサ１８の検出結果と関連テーブル１７ｆとを参照し、ＨＩＧＨ状態のときに１００％の電流量、ＭＩＤ−ＨＩＧＨ状態のときに９０％の電流量、ＭＩＤ状態のときに８０％の電流量、ＬＯＷ状態のときに７０％の電流量をインジケータ２０ｂに与え（ステップＳ６４）、処理を終了する。設定画像２２ｃを表示していないと判定した場合（Ｓ６３：ＮＯ）、制御部１０は、ＯＰＣ機能のオンが記憶部１７に記憶してあるとＳ６１で既に判定しているため、照度センサ１８の検出結果と関連テーブル１７ｆとを参照し、ＨＩＧＨ状態のときに５０％の電流量、ＭＩＤ−ＨＩＧＨ状態のときに４５％の電流量、ＭＩＤ状態のときに４０％の電流量、ＬＯＷ状態のときに３５％の電流量をインジケータ２０ｃに与え（ステップＳ６５）、処理を終了する。制御部１０は、一定時間経過後にこの処理手順を繰り返す。  
【００７５】
上述の構成により、表示部１５の表示態様を示すことになる設定画像２２ａ、２２ｂ、２２ｃの表示に応じて、インジケータ２０ａ、２０ｂ、２０ｃが動作することになる。また、設定画像２２ａ、２２ｂ、２２ｃの表示をしている場合と表示をしていない場合とで、インジケータ２０ａ、２０ｂ、２０ｃの動作態様、具体的には発光態様が異なることになる。したがってユーザは、インジケータ２０ａ、２０ｂ、２０ｃの動作態様を視認することにより、各種設定事項が入力され得る状態か否か把握することができ、誤入力を防止できる。また、インジケータ２０ａ、２０ｂ、２０ｃは表示部１５ではなく筐体に配置してあるため、表示部１５が本来表示すべき画像の視聴妨げとなることを抑制できる。更に、インジケータ２０ａ、２０ｂ、２０ｃの発光輝度が周囲の照度に基づいて変化するため、表示部１５が本来表示すべき画像の視聴妨げとなることを更に抑制できる。
【００７６】
実施の形態２におけるテレビジョン受信機１のその他の構成は、実施の形態１と同様であるため、その他の構成についての詳細な説明を省略する。
【００７７】
今回開示された実施の形態はすべての点で例示であって、制限的なものでは無いと考えられるべきである。本発明の範囲は、上で例示した内容だけで無く、特許請求の範囲によって示され、特許請求の範囲と均等の意味及び範囲内でのすべての更新が含まれることが意図される。
【符号の説明】
【００７８】
１   テレビジョン受信機
１０  制御部
１１  映像／音声入力部
１２  チューナ部
１３  ＡＶスイッチ
１４  信号処理部
１５  表示部
１６  スピーカ
１７  記憶部
１８  照度センサ
１９  受付部
２０ａ、２０ｂ、２０ｃ  インジケータ
２１  操作部  
２２ａ、２２ｂ、２２ｃ  設定画像
【図１】
2014146912.tif 000003
【図２】
2014146912.tif 000004
【図３】
2014146912.tif 000005
【図４】
2014146912.tif 000006
【図５】
2014146912.tif 000007
【図６】
2014146912.tif 000008
【図７】
2014146912.tif 000009
【図８】
2014146912.tif 000010
【図９】
2014146912.tif 000011
【図１０】
2014146912.tif 000012
【図１１】
2014146912.tif 000013
【図１２】
2014146912.tif 000014
【図１３】
2014146912.tif 000015
【図１４】
2014146912.tif 000016
【図１５】
2014146912.tif 000017
【図１６】
2014146912.tif 000018
【図１７】
2014146912.tif 000019